(57)【要約】      （修正有）【課題】玄関子機および居室親機の間で電力線搬送で通信する周波数における電力線から空中へ放射される電界強度または電力線搬送で通信する周波数における電力線へ流れる高周波信号成分を測定し、所定の閾値を超えないように制御することにより、ラジオ等の受信機への影響を抑える。【解決手段】上記電界強度を電界強度計４にて測定し、その測定値が所定の閾値以上であった場合には、電力線を電力線搬送で通信される音声信号等の通信速度を、サンプリングレートを変えて通話音質を低下させたり、通信周波数を狭帯域化させる。さらに、玄関子機にカメラ１３が備えられている場合には、電力線を電力線搬送で通信される画像信号（画像変調信号）の画素数の設定、カラー画像から白黒画像への変更、或いは動画像から静止画像への変更によりデータ量を少なくし、その画質を低下させる。【選択図】図１
2006279263.tif 000002
【特許請求の範囲】
【請求項１】
玄関に設置され来訪者が居住者を呼び出して通話を成立させるための玄関子機（１）と、住戸内に設置され前記玄関子機からの呼び出しに応答して前記居住者が前記来訪者との間で通話を成立させるための居室親機（２）とを電力線（Ｌ1）を介して接続し、制御信号、音声信号を電力線搬送で通信するインターホンシステムにおいて、
前記電力線には、前記電力線搬送で通信する周波数における空中へ放射される電界強度を測定するための電界強度計（４）が接続され、
前記電界強度計が所定の閾値以上の電界を検出した場合には、前記各信号の通信速度を低下させて前記空中へ放射される電界強度を低下させることを特徴とするインターホンシステム。
【請求項２】
玄関に設置され来訪者が居住者を呼び出して通話を成立させるための玄関子機（１）と、住戸内に設置され前記玄関子機からの呼び出しに応答して前記居住者が前記来訪者との間で通話を成立させるための居室親機（２）とを電力線（Ｌ1）を介して接続し、制御信号、音声信号を電力線搬送で通信するインターホンシステムにおいて、
前記電力線には、前記電力線搬送で通信する周波数における前記電力線へ流れる高周波信号成分を測定するための妨害波測定器（５）が接続され、
前記妨害波測定器が所定の閾値以上の妨害波を検出した場合には、前記各信号の通信速度を低下させて前記電力線へ流れる高周波信号成分を低下させることを特徴とするインターホンシステム。
【請求項３】
玄関に設置され来訪者が居住者を呼び出して通話を成立させるための玄関子機（１）と、住戸内に設置され前記玄関子機からの呼び出しに応答して前記居住者が前記来訪者との間で通話を成立させるための居室親機（２）とを電力線（Ｌ1）を介して接続し、制御信号、音声信号を電力線搬送で通信するインターホンシステムにおいて、
前記電力線には、前記電力線搬送で通信する周波数における空中へ放射される電界強度を測定するための電界強度計（４）が接続され、
前記電界強度計が所定の閾値以上の電界を検出した場合には、前記各信号の通信周波数を狭帯域化させて前記空中へ放射される電界強度を低下させることを特徴とするインターホンシステム。
【請求項４】
玄関に設置され来訪者が居住者を呼び出して通話を成立させるための玄関子機（１）と、住戸内に設置され前記玄関子機からの呼び出しに応答して前記居住者が前記来訪者との間で通話を成立させるための居室親機（２）とを電力線（Ｌ1）を介して接続し、制御信号、音声信号を電力線搬送で通信するインターホンシステムにおいて、
前記電力線には、前記電力線搬送で通信する周波数における前記電力線へ流れる高周波信号成分を測定するための妨害波測定器（５）が接続され、
前記妨害波測定器が所定の閾値以上の妨害波を検出した場合には、前記各信号の通信周波数を狭帯域化させて前記電力線へ流れる高周波信号成分を低下させることを特徴とするインターホンシステム。
【請求項５】
前記電界強度計は移動可能なものであって、前記玄関子機、前記居室親機或いはラジオ等の受信機のうち少なくとも一ヶ所において前記電界強度を測定するための空中線（４１ａ）を有することを特徴とする請求項１または請求項３記載のインターホンシステム。
【請求項６】
前記電界強度計または前記妨害波測定器は、前記玄関子機および／または前記居室親機と前記電力線を介して接続され、前記各信号の通信速度を低下させ、または前記各信号の通信周波数を狭帯域化させるための測定信号を前記電力線搬送で通信することを特徴とする請求項１乃至請求項５のうち何れか１項記載のインターホンシステム。
【請求項７】
前記玄関子機および／または前記居室親機は、前記各信号の通信速度を低下させる際に、伝送している前記音声信号のサンプリングレートを設定することによって通話音質を低下させることを特徴とする請求項１乃至請求項６のうち何れか１項記載のインターホンシステム。
【請求項８】
前記玄関子機はカメラ（１３）を有する玄関子機であって、前記各信号の通信速度を低下させる際に、伝送している画像信号の画素数を設定、白黒に変更する等の画像処理によって画質を低下させることを特徴とする請求項１乃至請求項７のうち何れか１項記載のインターホンシステム。
【請求項９】
前記玄関子機はカメラ（１３）を有する玄関子機であって、前記各信号の通信速度を低下させる際に、伝送している動画像信号を静止画像信号に変更することを特徴とする請求項１乃至請求項８のうち何れか１項記載のインターホンシステム。
【発明の詳細な説明】
【技術分野】
【０００１】
本発明はインターホンシステムに係り、特に、電力線を介して接続された玄関子機および居室親機の間において電力線搬送で通信が行われるインターホンシステムに関する。
【背景技術】
【０００２】
従来から、この種のインターホンシステムとして、電力線搬送通信において、近接導体からの漏洩を低減し、且つコモンモードノイズによるノーマルモードノイズへの影響を抑圧し、各分岐電力線間の混信を防止できる電力線搬送通信システムが開示されている（例えば、特許文献１を参照。）。
【０００３】
従来例の電力線搬送通信システムによれば、主幹電力線からそれぞれブロックフィルタを介して分岐された各分岐電力線にそれぞれ結合され、各分岐電力線を通信媒体として、遠隔操作信号を送信するコントローラ及び該コントローラからの信号を受信して負荷制御を行なうアダプタ、あるいは音声変調信号を用いて通話を行なうインターホン親機・子機等の電力線搬送通信機器が含まれていた。
【０００４】
【特許文献１】特開平７−２４５５７６号公報（段落番号００２０、００２９〜００５１、００５３、図１、図５等）
【発明の開示】
【発明が解決しようとする課題】
【０００５】
しかしながら、従来例の電力線搬送通信システムでは、遠隔操作信号等の制御信号、画像信号、音声変調信号について主幹電力線および分岐電力線を介して電力線搬送で通信を行っていたため、電力線搬送で通信する周波数における電界強度がノイズとして当該電力線から空中に放射され、特に、通信周波数として中波帯、短波帯の周波数を使用する場合には、空中に放射されたノイズが他の通信機器、例えば、ラジオ等の受信機のアンテナから受信されることから、ラジオ等の受信機に影響を及ぼす虞があった。
【０００６】
また、前述と同様、遠隔操作信号等の制御信号、画像信号、音声変調信号について主幹電力線および分岐電力線を介して電力線搬送で通信を行っていたため、この通信は行われないが当該電力線を介して電源供給されてくる商用電源（ＡＣ１００Ｖ）が動作電源となる他の通信機器、例えば、ラジオ等の受信機においては、電力線搬送で通信する周波数における当該電力線へ流れる高周波信号成分がノイズとなり、特に、通信周波数として中波帯、短波帯の周波数を使用する場合には、ラジオ等の受信機に影響を及ぼす虞があった。
【０００７】
本発明は、前述の難点を解消するためになされたもので、玄関子機および居室親機の間で電力線搬送で通信する周波数における電力線から空中へ放射される電界強度または電力線搬送で通信する周波数における電力線へ流れる高周波信号成分を測定し、所定の閾値を超えないように制御することにより、ラジオ等の受信機への影響を抑えたインターホンシステムを提供することを目的としている。
【課題を解決するための手段】
【０００８】
前述の目的を達成するため、本発明の第１の態様であるインターホンシステムは、玄関に設置され来訪者が居住者を呼び出して通話を成立させるための玄関子機と、住戸内に設置され玄関子機からの呼び出しに応答して居住者が来訪者との間で通話を成立させるための居室親機とを電力線を介して接続し、制御信号、音声信号を電力線搬送で通信する当該システムにおいて、電力線には、電力線搬送で通信する周波数における空中へ放射される電界強度を測定するための電界強度計が接続され、電界強度計が所定の閾値以上の電界を検出した場合には、各信号の通信速度を低下させて空中へ放射される電界強度を低下させるものである。
【０００９】
また、本発明の第２の態様であるインターホンシステムは、玄関に設置され来訪者が居住者を呼び出して通話を成立させるための玄関子機と、住戸内に設置され玄関子機からの呼び出しに応答して居住者が来訪者との間で通話を成立させるための居室親機とを電力線を介して接続し、制御信号、音声信号を電力線搬送で通信する当該システムにおいて、電力線には、電力線搬送で通信する周波数における電力線へ流れる高周波信号成分を測定するための妨害波測定器が接続され、妨害波測定器が所定の閾値以上の妨害波を検出した場合には、各信号の通信速度を低下させて電力線へ流れる高周波信号成分を低下させるものである。
【００１０】
また、本発明の第３の態様であるインターホンシステムは、玄関に設置され来訪者が居住者を呼び出して通話を成立させるための玄関子機と、住戸内に設置され玄関子機からの呼び出しに応答して居住者が来訪者との間で通話を成立させるための居室親機とを電力線を介して接続し、制御信号、音声信号を電力線搬送で通信する当該システムにおいて、電力線には、電力線搬送で通信する周波数における空中へ放射される電界強度を測定するための電界強度計が接続され、電界強度計が所定の閾値以上の電界を検出した場合には、各信号の通信周波数を狭帯域化させて空中へ放射される電界強度を低下させるものである。
【００１１】
また、本発明の第４の態様であるインターホンシステムは、玄関に設置され来訪者が居住者を呼び出して通話を成立させるための玄関子機と、住戸内に設置され玄関子機からの呼び出しに応答して居住者が来訪者との間で通話を成立させるための居室親機とを電力線を介して接続し、制御信号、音声信号を電力線搬送で通信する当該システムにおいて、電力線には、電力線搬送で通信する周波数における電力線へ流れる高周波信号成分を測定するための妨害波測定器が接続され、妨害波測定器が所定の閾値以上の妨害波を検出した場合には、各信号の通信周波数を狭帯域化させて電力線へ流れる高周波信号成分を低下させるものである。
【００１２】
また、本発明の第５の態様は、本発明の第１の態様または第３の態様であるインターホンシステムにおいて、電界強度計は移動可能なものであって、玄関子機、居室親機或いはラジオ等の受信機のうち少なくとも一ヶ所において電界強度を測定するための空中線を有するものである。
【００１３】
また、本発明の第６の態様は、本発明の第１の態様乃至第５の態様のうち何れか１の態様であるインターホンシステムにおいて、電界強度計または妨害波測定器は、玄関子機および／または居室親機と電力線を介して接続され、各信号の通信速度を低下させ、または各信号の通信周波数を狭帯域化させるための測定信号を電力線搬送で通信するものである。
【００１４】
また、本発明の第７の態様は、本発明の第１の態様乃至第６の態様のうち何れか１の態様であるインターホンシステムにおいて、玄関子機および／または居室親機は、各信号の通信速度を低下させる際に、伝送している音声信号のサンプリングレートを設定することによって通話音質を低下させるものである。
【００１５】
また、本発明の第８の態様は、本発明の第１の態様乃至第７の態様のうち何れか１の態様であるインターホンシステムにおいて、玄関子機はカメラを有する玄関子機であって、各信号の通信速度を低下させる際に、伝送している画像信号の画素数を設定、白黒に変更する等の画像処理によって画質を低下させるものである。
【００１６】
また、本発明の第９の態様は、本発明の第１の態様乃至第８の態様のうち何れか１の態様であるインターホンシステムにおいて、玄関子機はカメラを有する玄関子機であって、各信号の通信速度を低下させる際に、伝送している動画像信号を静止画像信号に変更するものである。
【発明の効果】
【００１７】
本発明のインターホンシステムによれば、玄関子機および居室親機の間を接続する電力線を電力線搬送で通信する周波数における当該電力線から空中へ放射される電界強度を電界強度計にて測定し、その測定値が所定の閾値以上であった場合には、電力線を電力線搬送で通信される制御信号、音声信号の通信速度を低下させる、または制御信号、音声信号の通信周波数を狭帯域化させることにより、空中へ放射される電界強度が低下され、ラジオ等の受信機への影響が抑えられる。
【００１８】
また、本発明のインターホンシステムによれば、玄関子機および居室親機の間を接続する電力線を電力線搬送で通信する周波数における当該電力線へ流れる高周波信号成分を妨害波測定器にて測定し、その測定値が妨害波となり得る所定の閾値以上であった場合には、電力線を電力線搬送で通信される制御信号、音声信号の通信速度を低下させる、または制御信号、音声信号の通信周波数を狭帯域化させることにより、電力線へ流れる高周波信号成分が低下され、ラジオ等の受信機への影響が抑えられる。
【００１９】
また、本発明のインターホンシステムによれば、電力線を電力線搬送で通信される制御信号、音声信号の通信速度を低下させるにあたっては、音声信号のサンプリングレートを設定して通話音質を低下させることができるばかりでなく、玄関子機にカメラが備えられている場合には、電力線を電力線搬送で通信される画像信号（画像変調信号）の画素数の設定、カラー画像から白黒画像への変更、或いは動画像から静止画像への変更によりデータ量を少なくし、その画質を低下させることができる。
【００２０】
さらに、本発明のインターホンシステムによれば、電界強度計または妨害波測定器からの測定信号を受信するための回路、例えば、受信回路を玄関子機および居室親機に備える必要がないため、当該玄関子機および居室親機の回路構成を簡素化できる。
【発明を実施するための最良の形態】
【００２１】
以下、本発明のインターホンシステムを適用した最良の実施の形態例について、図面を参照して説明する。
【００２２】
図１は、本発明の第１の実施例によるインターホンシステムの具体的な構成を示すブロック図である。
【００２３】
図１のブロック図に示すインターホンシステムは、玄関（住戸玄関と同意。）に設置され、来訪者が住戸内に在室中の居住者を呼び出して通話を成立させるための玄関子機１と、住戸内に設置され、電力線Ｌ1を介して接続された玄関子機１からの呼び出し、すなわち、来訪者からの呼び出しが報知され、この呼び出しに応答した居住者が来訪者との間で通話を成立させるための居室親機２と、電力線Ｌ1を介して接続された玄関子機１および居室親機２や玄関先、住戸内等に設置される他の通信機器、例えば、ラジオ等の受信機（図示せず）に商用電源（ＡＣ１００Ｖ）を電源供給するための分電盤３と、電力線Ｌ1に接続され、当該電力線を介して接続された玄関子機１および居室親機２の間で電力線搬送で後述する制御信号、音声信号、画像変調信号の各信号を通信させるにあたり、電力線搬送で通信する周波数における電力線Ｌ1から空中へ放射される電界強度を測定するための移動可能な可搬性を備えた電界強度計４とから構成されている。
【００２４】
また、玄関子機１には、当該玄関子機の構成各部／回路をそれぞれ制御するためのＣＰＵ（Central Processing Unit、以下、子機ＣＰＵという。）１０と、電力線Ｌ1を介して分電盤３から電源供給されてくる直流電源（ＡＣ１００Ｖ）を整流／平滑させ、当該玄関子機の構成各部／回路の待受電源または動作電源としてそれぞれ電源供給するための電源回路（以下、子機電源回路という。）１１と、来訪者が呼出操作を行うために操作する呼出ボタン１２と、呼出操作を行った来訪者や玄関先の周囲近傍の映像を撮像するためのＣＣＤ（Charge Coupled Device）撮像素子、ＣＭＯＳ（Complementary Metal Oxide Semiconductor）撮像素子等のカメラ１３と、カメラ１３にて撮像された映像を信号処理、例えば、画素数の設定、カラー画像および白黒画像のうち何れかの当該画像を選択、動画像および静止画像のうち何れかの当該画像を選択、ＦＭ変調等を行うための映像処理回路（以下、子機映像処理回路という。）１４と、来訪者が居住者との間で通話を成立させるにあたり送話音声を入力するためのマイク（以下、子機マイクという。）１５と、子機マイク１５とともに来訪者が通話を成立させるにあたり使用し、居住者からの音声である受話音声を出力（放音）するためのスピーカ（以下、子機スピーカという。）１６と、子機マイク１５に入力された送話音声であり信号処理された音声信号を４線／２線変換や増幅、当該音声信号のサンプリングレートを設定する一方、子機スピーカ１６から出力（放音）される受話音声である音声信号を２線／４線変換や増幅するための通話回路（以下、子機通話回路という。）１７と、子機ＣＰＵ１０、子機電源回路１１、子機映像処理回路１４、子機通話回路１７の各回路および電力線Ｌ1の間の信号伝送路、電源供給路をそれぞれ形成し、所定の通信速度で各信号の通信を行うためのインターフェース回路（以下、子機Ｉ／Ｆという。）１８とを有している。
【００２５】
また、居室親機２には、当該居室親機の構成各部／回路をそれぞれ制御するとともに計時機能が備えられたＣＰＵ（以下、親機ＣＰＵという。）２０と、電力線Ｌ1を介して分電盤３から電源供給されてくる直流電源（ＡＣ１００Ｖ）を整流／平滑させ、当該居室親機の構成各部／回路の待受電源または動作電源としてそれぞれ電源供給するための電源回路（以下、親機電源回路という。）２１と、玄関子機１の子機映像処理回路１４を介して信号処理された後、電力線Ｌ1を伝送されてくる画像変調信号をＦＭ復調するための映像処理回路（以下、親機映像処理回路という。）２２と、親機映像処理回路２２を介してＦＭ復調された画像信号をもとに、玄関子機１のカメラ１３にて撮像された映像をカラーまたは白黒の動画像若しくは静止画像として出画するためのＬＣＤ（Liquid Crystal Display）、有機ＥＬ（Electro Luminescence）ディスプレイ等のモニタ２３と、来訪者により玄関子機１の呼出ボタン１２が操作された旨、すなわち、来訪者からの呼び出しがある旨の呼出音（音声メッセージを含む。）や居住者が来訪者との間で通話を成立させるにあたり当該来訪者からの音声である受話音声が出力（放音）されるスピーカ（以下、親機スピーカという。）２４と、親機スピーカ２４とともに居住者が通話を成立させるにあたり使用し、送話音声を入力するためのマイク（以下、親機マイクという。）２５と、親機マイク２５に入力された送話音声であり信号処理された音声信号を４線／２線変換や増幅、当該音声信号のサンプリングレートを設定する一方、親機スピーカ２４から出力（放音）される受話音声である音声信号を２線／４線変換や増幅するための通話回路（以下、親機通話回路という。）２６と、来訪者からの呼び出しを確認した居住者により応答操作が行われる通話ボタン、タッチパネル等の操作部２７と、親機ＣＰＵ２０、親機電源回路２１、親機映像処理回路２２、親機通話回路２６の各回路および電力線Ｌ1の間の信号伝送路、電源供給路をそれぞれ形成し、所定の通信速度で各信号の通信を行うためのインターフェース回路（以下、親機Ｉ／Ｆという。）２８とを有している。
【００２６】
さらに、電界強度計４には、当該電界強度計の構成各部／回路をそれぞれ制御するためのＣＰＵ（以下、強度計ＣＰＵという。）４０と、電力線Ｌ1を介して接続された玄関子機１および居室親機２やラジオ等の受信機（図示せず）のうち少なくとも一ヶ所において電力線搬送で通信する周波数における電力線Ｌ1から空中へ放射される電界強度を測定するためのアンテナ等の空中線４１ａを備えた測定部（以下、強度計測定部という。）４１と、強度計測定部４１にて測定された電界強度の測定値と強度計ＣＰＵ４０に予め設定されている所定の閾値との比較結果に応じて、強度計ＣＰＵ４０にて生成される制御信号である測定信号を電力線Ｌ1に出力するためのインターフェース回路（以下、強度計Ｉ／Ｆという。）４２とを有している。
【００２７】
このように構成された本発明の第１の実施例によるインターホンシステムにおいて、以下、具体的な動作について説明する。
【００２８】
図１のブロック図において、玄関子機１の子機電源回路１１は、分電盤３から電力線Ｌ1を介して電源供給されてくる商用電源（ＡＣ１００Ｖ）について子機Ｉ／Ｆ１８を介して受電し、整流／平滑させた直流電源を所定の電圧レベルの待受電源または当該待受電源よりも高い電圧レベルの動作電源として当該玄関子機の構成各部／回路にそれぞれ電源供給することができる。
【００２９】
また、居室親機２の親機電源回路２１は、前述の玄関子機１の子機電源回路１１と同様、分電盤３から電力線Ｌ1を介して電源供給されてくる商用電源（ＡＣ１００Ｖ）について親機Ｉ／Ｆ２８を介して受電し、整流／平滑させた直流電源を所定の電圧レベルの待受電源または当該待受電源よりも高い電圧レベルの動作電源として当該居室親機の構成各部／回路にそれぞれ電源供給することができる。
【００３０】
さらに、他の通信機器であるラジオ等の受信機（図示せず）についても、分電盤３から電力線Ｌ1を介して電源供給されてくる商用電源（ＡＣ１００Ｖ）を受電し、整流／平滑させた直流電源が動作電源となる。
【００３１】
次に、前述のような電源供給として、玄関子機１の構成各部／回路および居室親機２の構成各部／回路にそれぞれ待受電源が電源供給されている待受状態、すなわち、玄関に来訪者が居らず玄関子機１の呼出ボタン１２も操作されていない状態において、住戸内に在室中の居住者を呼び出すため、玄関に居る来訪者が呼出ボタン１２を操作すると、この呼出操作を検出した子機ＣＰＵ１０は、前述の待受電源よりも高い電圧レベルの動作電源が当該玄関子機の構成各部／回路にそれぞれ電源供給されるように子機電源回路１１を制御するとともに、カメラ１３および子機映像処理回路１４がそれぞれ能動となるように制御する。
【００３２】
また、玄関子機１の子機ＣＰＵ１０は、来訪者により呼出ボタン１２が操作された旨の制御信号である呼出信号Ｓ1を生成して子機Ｉ／Ｆ１８から電力線Ｌ1に出力することにより、この呼出信号Ｓ1は、電力線Ｌ1を電力線搬送で居室親機２の親機Ｉ／Ｆ２８へと伝送される。
【００３３】
また、玄関子機１において、子機ＣＰＵ１０の制御により能動にされたカメラ１３および子機映像処理回路１４のうち、カメラ１３は、呼出操作を行った来訪者や玄関先の周囲近傍の映像を例えば、カラー動画像として撮像開始する。このカラー動画像は、電気信号に信号処理された画像信号Ｓ2として子機映像処理回路１４へと伝送される。子機映像処理回路１４は、カメラ１３からの画像信号Ｓ2についてＦＭ変調させた画像変調信号Ｓ2aを子機Ｉ／Ｆ１８から電力線Ｌ1に出力することにより、この画像変調信号についても前述の呼出信号Ｓ1と同様、電力線Ｌ1を電力線搬送で居室親機２の親機Ｉ／Ｆ２８へと伝送される。
【００３４】
居室親機２の親機ＣＰＵ２０は、親機Ｉ／Ｆ２８を介して受信された玄関子機１（の子機ＣＰＵ１０）からの呼出信号Ｓ1をもとに来訪者からの呼び出しがあることを検出し、その旨の呼出音（音声メッセージを含む。）を親機スピーカ２４から出力（放音）させるとともに、前述の待受電源よりも高い電圧レベルの動作電源が当該居室親機の構成各部／回路にそれぞれ電源供給（給電）されるように親機電源回路２１を制御し、さらに、親機映像処理回路２２およびモニタ２３がそれぞれ能動となるように制御する。
【００３５】
なお、来訪者による呼出操作が行われた玄関子機１からの呼び出しを検出した居室親機２の親機ＣＰＵ２０は、その旨のメッセージをモニタ２３に表示させることもできる。
【００３６】
また、居室親機２において、親機ＣＰＵ２０により能動にされた親機映像処理回路２２およびモニタ２３のうち、親機映像処理回路２２は、親機Ｉ／Ｆ２８を介して受信された玄関子機１（の子機映像処理回路１４）からの画像変調信号Ｓ2aについてＦＭ復調させた画像信号Ｓ2をモニタ２３に出力することにより、玄関子機１のカメラ１３にて撮像された映像、すなわち、呼出操作を行った来訪者や玄関先の周囲近傍の映像がカラー動画像としてモニタ２３に出画される。
【００３７】
次に、前述のような呼出報知、すなわち、居室親機２の親機スピーカ２４からの呼出音（音声メッセージを含む。）の出力（放音）および呼出操作を行った来訪者や玄関先の周囲近傍の映像（メッセージを含む。）のモニタ２３への出画が行われたとき、居住者が住戸内に在室中であり、呼出操作を行った来訪者について当該来訪者の識別と併せて確認した後、操作部２７にて所定の応答操作を行うと、この応答操作を検出した親機ＣＰＵ２０は、計時機能が能動となり予め設定されている通話時間の計時を開始し、居住者が使用する親機スピーカ２４および親機マイク２５と親機Ｉ／Ｆ２８との間の通話路が形成されるように親機通話回路２６を制御するとともに、居住者により応答操作が行われた旨の制御信号である呼出応答信号Ｓ3を生成して親機Ｉ／Ｆ２８から電力線Ｌ1に出力することにより、この呼出応答信号Ｓ3は、電力線Ｌ1を電力線搬送で玄関子機１の子機Ｉ／Ｆ１８へと伝送される。
【００３８】
玄関子機１の子機ＣＰＵ１０は、子機Ｉ／Ｆ１８を介して受信された居室親機２（の親機ＣＰＵ２０）からの呼出応答信号Ｓ3をもとに居住者により応答操作が行われたことを検出し、来訪者が使用する子機マイク１５および子機スピーカ１６と子機Ｉ／Ｆ１８との間の通話路が形成されるように子機通話回路１７を制御することにより、子機マイク１５から子機通話回路１７、子機Ｉ／Ｆ１８、電力線Ｌ1、居室親機２の親機Ｉ／Ｆ２８、親機通話回路２６を介して親機スピーカ２４への通話路（以下、上り通話路という。）と親機マイク２５から親機通話回路２６、親機Ｉ／Ｆ２８、電力線Ｌ1、（玄関子機１の）子機Ｉ／Ｆ１８、子機通話回路１７を介して子機スピーカ１６への通話路（以下、下り通話路という。）とがそれぞれ形成され、形成された上り、下りの各通話路を介して音声信号（以下、上り音声信号、下り音声信号という。）Ｓ4、Ｓ5を送受信させることで通話が成立し、特に、居住者にとっては、モニタ２３に出画されている来訪者の映像を確認しながら通話を成立させることができる。
【００３９】
なお、玄関子機１の子機マイク１５から居室親機２の親機スピーカ２４への上り通話路を介して伝送される上り音声信号Ｓ4および（居室親機２の）親機マイク２５から（玄関子機１の）子機スピーカ１６への下り通話路を介して伝送される下り音声信号Ｓ5についても、前述の呼出信号Ｓ1、画像変調信号Ｓ2a、呼出応答信号Ｓ3と同様、電力線Ｌ1を電力線搬送で通信が行われる。
【００４０】
次に、前述のように玄関子機１および居室親機２の間を接続する電力線Ｌ1を電力線搬送で画像変調信号Ｓ2a、上り、下りの各音声信号Ｓ4、Ｓ5の通信が行われているとき、玄関子機１、居室親機２或いはラジオ等の受信機（図示せず）のうち少なくとも一ヶ所において、電界強度計４の電界強度計ＣＰＵ４０では、強度計測定部４１の空中線４１ａにて受信される電界強度、すなわち、電力線搬送で通信する周波数における電力線Ｌ1から空中へ放射される電界強度の測定値（以下、電界強度測定値という。）と、当該強度計ＣＰＵに予め設定されている所定の閾値とを比較し、その比較結果として電界強度測定値が所定の閾値よりも大きい場合には、その旨の制御信号である測定信号Ｓ6を生成して強度計Ｉ／Ｆ４２から電力線Ｌ1に出力する。この測定信号Ｓ6は、電力線Ｌ1を電力線搬送で玄関子機１の子機Ｉ／Ｆ１８および居室親機２の親機Ｉ／Ｆ２８へとそれぞれ伝送される。
【００４１】
玄関子機１の子機ＣＰＵ１０は、子機Ｉ／Ｆ１８を介して受信された電界強度計４（の強度計ＣＰＵ４０）からの測定信号Ｓ6を検出すると、子機映像処理回路１４を制御して、以下の３種のうち何れかの画像処理を行う。第１の画像処理として、カメラ１３にて撮像されたカラー動画像である画像信号Ｓ2の画素数を設定した後、ＦＭ変調した画像変調信号Ｓ2bを生成する。または、第２の画像処理として、カメラ１３にて撮像されたカラー動画像である画像信号Ｓ2を白黒に変更させた後、ＦＭ変調した画像変調信号Ｓ2cを生成する。さらには、第３の画像処理として、カメラ１３にて撮像されたカラー動画像である画像信号Ｓ2を静止画像に変更させた後、ＦＭ変調した画像変調信号Ｓ2dを生成する。
【００４２】
また、玄関子機１の子機ＣＰＵ１０は、子機Ｉ／Ｆ１８を介して受信された電界強度計４（の強度計ＣＰＵ４０）からの測定信号Ｓ6を検出すると、前述のような子機映像処理回路１４への制御のみならず、子機通話回路１７を制御して子機マイク１５からの上り音声信号Ｓ4について音声処理を行い、サンプリングレートを設定した上り音声信号Ｓ4aを生成する。
【００４３】
さらに、玄関子機１の子機ＣＰＵ１０は、子機Ｉ／Ｆ１８を介して受信された電界強度計４（の強度計ＣＰＵ４０）からの測定信号Ｓ6を検出すると、前述のような子機映像処理回路１４および子機通話回路１７への制御のみならず、子機映像処理回路１４から子機Ｉ／Ｆ１８を介して電力線Ｌ1に出力される前述の画像変調信号Ｓ2b、Ｓ2c、Ｓ2dのうち何れかの当該画像変調信号の通信速度および子機通話回路１７から子機Ｉ／Ｆ１８を介して電力線Ｌ1に出力される上り音声信号Ｓ4aの通信速度をそれぞれ低下させるように子機Ｉ／Ｆ１８を制御する。
【００４４】
なお、前述のように電力線Ｌ1の通信速度が低下され、上り通話路を介して居室親機２の親機スピーカ２４へと伝送される上り音声信号Ｓ4aは、親機スピーカ２４から出力される受話音声として、その通話音質は低下するが、居住者にとって十分に聴き取れる通話音質は確保される。
【００４５】
居室親機２の親機ＣＰＵ２０は、親機Ｉ／Ｆ２８を介して受信された電界強度計４（の強度計ＣＰＵ４０）からの測定信号Ｓ6を検出すると、親機通話回路２６を制御して親機マイク２５からの下り音声信号Ｓ5について音声処理を行い、サンプリングレートを設定した下り音声信号Ｓ5aを生成する。
【００４６】
また、居室親機２の親機ＣＰＵ２０は、親機Ｉ／Ｆ２８を介して受信された電界強度計４（の強度計ＣＰＵ４０）からの測定信号Ｓ6を検出すると、前述のような親機通話回路２６への制御のみならず、親機通話回路２６から親機Ｉ／Ｆ２８を介して電力線Ｌ1に出力される下り音声信号Ｓ5aの通信速度を低下させるように親機Ｉ／Ｆ２８を制御する。
【００４７】
なお、前述のように電力線Ｌ1の通信速度が低下され、下り通話路を介して玄関子機１の子機スピーカ１６へと伝送される下り音声信号Ｓ5aは、子機スピーカ１６から出力される受話音声として、その通話音質は低下するが、来訪者にとって十分に聴き取れる通話音質は確保される。
【００４８】
さらに、居室親機２の親機映像処理回路２２は、前述のように通信速度が低下されて電力線Ｌ1を伝送され、親機Ｉ／Ｆ２８を介して受信された玄関子機１（の子機映像処理回路１４）からの画像変調信号Ｓ2b、Ｓ2c、Ｓ2dのうち何れかの当該画像変調信号についてＦＭ復調させた画像信号をモニタ２３に出力することにより、玄関子機１のカメラ１３にて撮像された映像として、画素数の設定に伴い画質が低下された呼出操作を行った来訪者や玄関先の周囲近傍の映像、カラー画像から白黒画像への変更に伴い画質が低下された呼出操作を行った来訪者や玄関先の周囲近傍の映像、動画像から静止画像に変更させた呼出操作を行った来訪者や玄関先の周囲近傍の映像のうち何れかの映像がモニタ２３に出画され、これらの映像は、居住者にとって十分に来訪者を確認できる画質は確保される。
【００４９】
前述までの動作から明らかなように、電界強度計４（の強度計ＣＰＵ４０）が所定の閾値以上の電界強度を検出した場合において、電力線Ｌ1を介して玄関子機１の子機Ｉ／Ｆ１８から居室親機２の親機Ｉ／Ｆ２８へと伝送される画像変調信号Ｓ2b、Ｓ2c、Ｓ2dは何れの当該画像変調信号についても前述の画像変調信号Ｓ2aよりデータ量が少なく通信速度も低下され、さらに、電力線Ｌ1を介して玄関子機１の子機Ｉ／Ｆ１８および居室親機２の親機Ｉ／Ｆ２８の間で送受信される上り音声信号Ｓ4aおよび下り音声信号Ｓ5aについても前述の上り音声信号Ｓ4および下り音声信号Ｓ5よりデータ量が少なく通信速度も低下されることから、電力線搬送で通信する周波数における電力線Ｌ1から空中へ放射される電界強度の測定値（電界強度測定値）を、所定の閾値を超えないように制御することができ、ラジオ等の受信機（図示せず）への影響が抑えられる。
【００５０】
また、前述までの動作によれば、電界強度計４（の強度計ＣＰＵ４０）が所定の閾値以上の電界強度を検出した場合において、電力線搬送で通信する周波数における電力線Ｌ1から空中へ放射される電界強度の測定値（電界強度測定値）が所定の閾値を超えないように制御する手段として、電力線Ｌ1を介して玄関子機１の子機Ｉ／Ｆ１８から居室親機２の親機Ｉ／Ｆ２８へと伝送される画像変調信号の通信速度と電力線Ｌ1を介して玄関子機１の子機Ｉ／Ｆ１８および居室親機２の親機Ｉ／Ｆ２８の間で送受信される上り、下りの各音声信号の通信速度とをそれぞれ低下させたが、この制御手段に限定されず、以下の制御手段も好適とされる。
【００５１】
例えば、電力線Ｌ1の電力線搬送で通信する周波数が例えば、２〜３０ＭＨｚであり、ラジオ放送が影響を受ける１０ＭＨｚの周波数における所定の閾値が電界強度計４の強度計ＣＰＵ４０に予め設定されていた場合において、前述のように玄関子機１および居室親機２の間を接続する電力線Ｌ1を電力線搬送で画像変調信号Ｓ2a、上り、下りの各音声信号Ｓ4、Ｓ5の通信が行われているとき、玄関子機１、居室親機２或いはラジオ等の受信機（図示せず）のうち少なくとも一ヶ所において、電界強度計４の電界強度計ＣＰＵ４０では、強度計測定部４１の空中線４１ａにて受信される電界強度、すなわち、電力線搬送で通信する周波数のうち、ラジオ放送が影響を受ける１０ＭＨｚの周波数における電力線Ｌ1から空中へ放射される電界強度の電界強度測定値と、当該強度計ＣＰＵに予め設定されている所定の閾値とを比較し、その比較結果として電界強度測定値が所定の閾値よりも大きい場合には、その旨の制御信号である測定信号Ｓ6aを生成して強度計Ｉ／Ｆ４２から電力線Ｌ1に出力する。この測定信号Ｓ6aは、前述の測定信号Ｓ6と同様、電力線Ｌ1を電力線搬送で玄関子機１の子機Ｉ／Ｆ１８および居室親機２の親機Ｉ／Ｆ２８へとそれぞれ伝送される。
【００５２】
玄関子機１の子機ＣＰＵ１０は、子機Ｉ／Ｆ１８を介して受信された電界強度計４（の強度計ＣＰＵ４０）からの測定信号Ｓ6aを検出すると、電力線Ｌ1に出力される子機映像処理回路１４からの画像変調信号Ｓ2aの通信周波数がラジオ放送に影響を与えない狭帯域化された例えば、１１〜３０ＭＨｚとなるように子機Ｉ／Ｆ１８を制御するとともに、電力線Ｌ1に出力される子機通話回路１７からの上り音声信号Ｓ4についても同様、その通信周波数がラジオ放送に影響を与えない狭帯域化された例えば、１１〜３０ＭＨｚとなるように子機Ｉ／Ｆ１８を制御する。
【００５３】
また、居室親機２の親機ＣＰＵ２０は、親機Ｉ／Ｆ２８を介して受信された電界強度計４（の強度計ＣＰＵ４０）からの測定信号Ｓ6aを検出すると、電力線Ｌ1に出力される親機通話回路２６からの下り音声信号Ｓ5の通信周波数がラジオ放送に影響を与えない狭帯域化された例えば、１１〜３０ＭＨｚとなるように親機Ｉ／Ｆ２８を制御する。
【００５４】
前述までの動作から明らかなように、電界強度計４（の強度計ＣＰＵ４０）が所定の閾値以上の電界強度を検出すると、電力線Ｌ1を介して玄関子機１の子機Ｉ／Ｆ１８から居室親機２の親機Ｉ／Ｆ２８へと伝送される画像変調信号Ｓ2aの通信周波数がラジオ放送に影響を与えないように狭帯域化されるとともに、電力線Ｌ1を介して玄関子機１の子機Ｉ／Ｆ１８および居室親機２の親機Ｉ／Ｆ２８の間で送受信される上り音声信号Ｓ4および下り音声信号Ｓ5についても、その通信周波数がラジオ放送に影響を与えないように狭帯域化されることから、電力線搬送で通信する周波数における電力線Ｌ1から空中へ放射される電界強度の測定値（電界強度測定値）を、所定の閾値を超えないように制御することができ、ラジオ等の受信機（図示せず）への影響が抑えられる。
【００５５】
次に、本発明の第２の実施例によるインターホンシステムについて、図面を参照して説明する。
【００５６】
なお、本発明の第２の実施例によるインターホンシステムの構成を説明するにあたり、前述の第１の実施例と同様な構成については、その説明を省略して同一の符号を付与する。
【００５７】
図２は、本発明の第２の実施例によるインターホンシステムの具体的な構成を示すブロック図である。
【００５８】
図２のブロック図に示すインターホンシステムは、玄関に設置され、来訪者が住戸内に在室中の居住者を呼び出して通話を成立させるための子機ＣＰＵ１０、子機電源回路１１、呼出ボタン１２、カメラ１３、子機映像処理回路１４、子機マイク１５、子機スピーカ１６、子機通話回路１７、子機Ｉ／Ｆ１８を有する玄関子機１と、住戸内に設置され、電力線Ｌ1を介して接続された玄関子機１からの呼び出し、すなわち、来訪者からの呼び出しが報知され、この呼び出しに応答した居住者が来訪者との間で通話を成立させるための親機ＣＰＵ２０、親機電源回路２１、親機映像処理回路２２、モニタ２３、親機スピーカ２４、親機マイク２５、親機通話回路２６、操作部２７、親機Ｉ／Ｆ２８を有する居室親機２と、電力線Ｌ1を介して接続された玄関子機１および居室親機２や玄関先、住戸内等に設置される他の通信機器、例えば、ラジオ等の受信機（図示せず）に商用電源（ＡＣ１００Ｖ）を電源供給するための分電盤３と、電力線Ｌ1に接続され、当該電力線を介して接続された玄関子機１および居室親機２の間で電力線搬送で制御信号、音声信号、画像変調信号の各信号を通信させるにあたり、当該電力線へ流れる高周波信号成分を測定するための妨害波測定器５とから構成されている。
【００５９】
また、妨害波測定器５には、当該妨害波測定器の構成各部／回路をそれぞれ制御するためのＣＰＵ（以下、測定器ＣＰＵという。）５０と、電力線Ｌ1へ流れる高周波信号成分を測定するための測定部（以下、測定器測定部という。）５１と、測定器測定部５１にて測定された高周波信号成分の測定値と測定器ＣＰＵ５０に予め設定されている所定の閾値との比較結果に応じて、測定器ＣＰＵ５０にて生成される制御信号である測定信号を電力線Ｌ1に出力するためのインターフェース回路（以下、測定器Ｉ／Ｆという。）５２とを有している。
【００６０】
このように構成された本発明の第２の実施例によるインターホンシステムにおいて、以下、具体的な動作について説明する。
【００６１】
なお、本発明の第２の実施例によるインターホンシステムの具体的な動作を説明するにあたり、前述の第１の実施例と同様な動作については、その説明を省略する。
【００６２】
図２のブロック図において、前述の第１の実施例と同様、玄関子機１および居室親機２の間を接続する電力線Ｌ1を電力線搬送で画像変調信号Ｓ2a、上り、下りの各音声信号Ｓ4、Ｓ5の送受信が行われているとき、妨害波測定器５の測定器ＣＰＵ５０では、測定器測定部５１にて測定される高周波信号成分、すなわち、電力線搬送で通信する周波数における電力線Ｌ1へ流れる高周波信号成分の測定値（以下、高周波信号成分測定値という。）と、当該測定器ＣＰＵに予め設定されている所定の閾値とを比較し、その比較結果として高周波信号成分測定値が所定の閾値よりも大きい、すなわち、妨害波となり得る場合には、その旨の制御信号である測定信号Ｓ7を生成して測定器Ｉ／Ｆ５２から電力線Ｌ1に出力する。この測定信号Ｓ7は、前述の測定信号Ｓ6、Ｓ6aと同様、電力線Ｌ1を電力線搬送で玄関子機１の子機Ｉ／Ｆ１８および居室親機２の親機Ｉ／Ｆ２８へとそれぞれ伝送される。
【００６３】
玄関子機１の子機ＣＰＵ１０は、子機Ｉ／Ｆ１８を介して受信された妨害波測定器５（の測定器ＣＰＵ５０）からの測定信号Ｓ7を検出すると、前述の第１の実施例と同様、子機映像処理回路１４を制御して、以下の３種のうち何れかの画像処理を行う。第１の画像処理として、カメラ１３にて撮像されたカラー動画像である画像信号Ｓ2の画素数を設定した後、ＦＭ変調した画像変調信号Ｓ2bを生成する。または、第２の画像処理として、カメラ１３にて撮像されたカラー動画像である画像信号Ｓ2を白黒に変更させた後、ＦＭ変調した画像変調信号Ｓ2cを生成する。さらには、第３の画像処理として、カメラ１３にて撮像されたカラー動画像である画像信号Ｓ2を静止画像に変更させた後、ＦＭ変調した画像変調信号Ｓ2dを生成する。
【００６４】
また、玄関子機１の子機ＣＰＵ１０は、子機Ｉ／Ｆ１８を介して受信された妨害波測定器５（の測定器ＣＰＵ５０）からの測定信号Ｓ7を検出すると、前述の第１の実施例と同様、子機映像処理回路１４への制御のみならず、子機通話回路１７を制御して子機マイク１５からの上り音声信号Ｓ4について音声処理を行い、サンプリングレートを設定した上り音声信号Ｓ4aを生成する。
【００６５】
さらに、玄関子機１の子機ＣＰＵ１０は、子機Ｉ／Ｆ１８を介して受信された妨害波測定器５（の測定器ＣＰＵ５０）からの測定信号Ｓ7を検出すると、前述の第１の実施例と同様、子機映像処理回路１４および子機通話回路１７への制御のみならず、子機映像処理回路１４から子機Ｉ／Ｆ１８を介して電力線Ｌ1に出力される前述の画像変調信号Ｓ2b、Ｓ2c、Ｓ2dのうち何れかの当該画像変調信号の通信速度および子機通話回路１７から子機Ｉ／Ｆ１８を介して電力線Ｌ1に出力される上り音声信号Ｓ4aの通信速度をそれぞれ低下させるように子機Ｉ／Ｆ１８を制御する。
【００６６】
なお、前述のように電力線Ｌ1の通信速度が低下され、上り通話路を介して居室親機２の親機スピーカ２４へと伝送される上り音声信号Ｓ4aは、親機スピーカ２４から出力される受話音声として、その通話音質は低下するが、居住者にとって十分に聴き取れる通話音質は確保される。
【００６７】
居室親機２の親機ＣＰＵ２０は、親機Ｉ／Ｆ２８を介して受信された妨害波測定器５（の測定器ＣＰＵ５０）からの測定信号Ｓ7を検出すると、前述の第１の実施例と同様、親機通話回路２６を制御して親機マイク２５からの下り音声信号Ｓ5について音声処理を行い、サンプリングレートを設定した下り音声信号Ｓ5aを生成する。
【００６８】
また、居室親機２の親機ＣＰＵ２０は、親機Ｉ／Ｆ２８を介して受信された妨害波測定器５（の測定器ＣＰＵ５０）からの測定信号Ｓ7を検出すると、前述の第１の実施例と同様、親機通話回路２６への制御のみならず、親機通話回路２６から親機Ｉ／Ｆ２８を介して電力線Ｌ1に出力される下り音声信号Ｓ5aの通信速度を低下させるように親機Ｉ／Ｆ２８を制御する。
【００６９】
なお、前述のように電力線Ｌ1の通信速度が低下され、下り通話路を介して玄関子機１の子機スピーカ１６へと伝送される下り音声信号Ｓ5aは、子機スピーカ１６から出力される受話音声として、その通話音質は低下するが、来訪者にとって十分に聴き取れる通話音質は確保される。
【００７０】
さらに、居室親機２の親機映像処理回路２２は、前述のように通信速度が低下されて電力線Ｌ1を伝送され、親機Ｉ／Ｆ２８を介して受信された玄関子機１（の子機映像処理回路１４）からの画像変調信号Ｓ2b、Ｓ2c、Ｓ2dのうち何れかの当該画像変調信号についてＦＭ復調させた画像信号をモニタ２３に出力することにより、玄関子機１のカメラ１３にて撮像された映像として、画素数の設定に伴い画質が低下された呼出操作を行った来訪者や玄関先の周囲近傍の映像、カラー画像から白黒画像への変更に伴い画質が低下された呼出操作を行った来訪者や玄関先の周囲近傍の映像、動画像から静止画像に変更させた呼出操作を行った来訪者や玄関先の周囲近傍の映像のうち何れかの映像がモニタ２３に出画され、これらの映像は、居住者にとって十分に来訪者を確認できる画質は確保される。
【００７１】
前述までの動作から明らかなように、妨害波測定器５（の測定器ＣＰＵ５０）が所定の閾値以上の高周波信号成分、すなわち、妨害波を検出した場合において、電力線Ｌ1を介して玄関子機１の子機Ｉ／Ｆ１８から居室親機２の親機Ｉ／Ｆ２８へと伝送される画像変調信号Ｓ2b、Ｓ2c、Ｓ2dは何れの当該画像変調信号についても前述の画像変調信号Ｓ2aよりデータ量が少なく通信速度も低下され、さらに、電力線Ｌ1を介して玄関子機１の子機Ｉ／Ｆ１８および居室親機２の親機Ｉ／Ｆ２８の間で送受信される上り音声信号Ｓ4aおよび下り音声信号Ｓ5aについても前述の上り音声信号Ｓ4および下り音声信号Ｓ5よりデータ量が少なく通信速度も低下されることから、電力線搬送で通信する周波数における電力線Ｌ1へ流れる高周波信号成分の測定値（高周波信号成分測定値）を、所定の閾値を超えないように制御することができ、ラジオ等の受信機（図示せず）への影響が抑えられる。
【００７２】
また、前述までの動作によれば、妨害波測定器５（の測定器ＣＰＵ５０）が所定の閾値以上の高周波信号成分、すなわち、妨害波を検出した場合において、電力線搬送で通信する周波数における電力線Ｌ1へ流れる高周波信号成分の測定値（高周波信号成分測定値）が所定の閾値を超えないように制御する手段として、電力線Ｌ1を介して玄関子機１の子機Ｉ／Ｆ１８から居室親機２の親機Ｉ／Ｆ２８へと伝送される画像変調信号の通信速度と電力線Ｌ1を介して玄関子機１の子機Ｉ／Ｆ１８および居室親機２の親機Ｉ／Ｆ２８の間で送受信される上り、下りの各音声信号の通信速度とをそれぞれ低下させたが、この制御手段に限定されず、以下の制御手段も好適とされる。
【００７３】
例えば、電力線Ｌ1の電力線搬送で通信する周波数が例えば、２〜３０ＭＨｚであり、ラジオ放送が影響を受ける１０ＭＨｚの周波数における所定の閾値が妨害波測定器５の測定器ＣＰＵ５０に予め設定されていた場合において、前述のように玄関子機１および居室親機２の間を接続する電力線Ｌ1を電力線搬送で画像変調信号Ｓ2a、上り、下りの各音声信号Ｓ4、Ｓ5の通信が行われているとき、妨害波測定器５の測定器ＣＰＵ５０では、測定器測定部５１にて測定される高周波信号成分、すなわち、電力線搬送で通信する周波数のうち、ラジオ放送が影響を受ける１０ＭＨｚの周波数における電力線Ｌ1へ流れる高周波信号成分の高周波信号成分測定値と、当該測定器ＣＰＵに予め設定されている所定の閾値とを比較し、その比較結果として高周波信号成分測定値が所定の閾値よりも大きい、すなわち、妨害波となり得る場合には、その旨の制御信号である測定信号Ｓ7aを生成して測定器Ｉ／Ｆ５２から電力線Ｌ1に出力する。この測定信号Ｓ7aは、前述の測定信号Ｓ6、Ｓ6a、Ｓ7と同様、電力線Ｌ1を電力線搬送で玄関子機１の子機Ｉ／Ｆ１８および居室親機２の親機Ｉ／Ｆ２８へとそれぞれ伝送される。
【００７４】
玄関子機１の子機ＣＰＵ１０は、子機Ｉ／Ｆ１８を介して受信された妨害波測定器５（の測定器ＣＰＵ５０）からの測定信号Ｓ7aを検出すると、電力線Ｌ1に出力される子機映像処理回路１４からの画像変調信号Ｓ2aの通信周波数がラジオ放送に影響を与えない狭帯域化された例えば、１１〜３０ＭＨｚとなるように子機Ｉ／Ｆ１８を制御するとともに、電力線Ｌ1に出力される子機通話回路１７からの上り音声信号Ｓ4についても同様、その通信周波数がラジオ放送に影響を与えない狭帯域化された例えば、１１〜３０ＭＨｚとなるように子機Ｉ／Ｆ１８を制御する。
【００７５】
また、居室親機２の親機ＣＰＵ２０は、親機Ｉ／Ｆ２８を介して受信された妨害波測定器５（の測定器ＣＰＵ５０）からの測定信号Ｓ7aを検出すると、電力線Ｌ1に出力される親機通話回路２６からの下り音声信号Ｓ5の通信周波数がラジオ放送に影響を与えない狭帯域化された例えば、１１〜３０ＭＨｚとなるように親機Ｉ／Ｆ２８を制御する。
【００７６】
前述までの動作から明らかなように、妨害波測定器５の測定器ＣＰＵ５０が所定の閾値以上の高周波信号成分、すなわち、妨害波となり得る信号成分を検出すると、電力線Ｌ1を介して玄関子機１の子機Ｉ／Ｆ１８から居室親機２の親機Ｉ／Ｆ２８へと伝送される画像変調信号Ｓ2aの通信周波数がラジオ放送に影響を与えないように狭帯域化されるとともに、電力線Ｌ1を介して玄関子機１の子機Ｉ／Ｆ１８および居室親機２の親機Ｉ／Ｆ２８の間で送受信される上り音声信号Ｓ4および下り音声信号Ｓ5についても、その通信周波数がラジオ放送に影響を与えないように狭帯域化されることから、電力線搬送で通信する周波数における電力線Ｌ1へ流れる高周波信号成分の測定値（高周波信号成分測定値）を、所定の閾値を超えないように制御することができ、ラジオ等の受信機（図示せず）への影響が抑えられる。
【００７７】
なお、本発明の第２の実施例においては、図２のブロック図に示すように、分電盤３から玄関子機１および居室親機２への接続を行う電力線Ｌ1のライン上にバンドパスフィルタ等のノイズフィルタ６を設けることもできる。このようなノイズフィルタ６を設けることにより、電力線搬送で通信する周波数における電力線Ｌ1へ流れる高周波信号成分の測定値（高周波信号成分測定値）を測定する妨害波測定器５では、測定された高周波信号成分測定値をもとにノイズフィルタ６による高周波信号成分の抑制効果を容易に確認できるばかりでなく、その後における当該ノイズフィルタの選定作業に多いに役立たせることができる。
【００７８】
また、本発明の第１、第２の各実施例によれば、電界強度計４（の強度計ＣＰＵ４０）からの測定信号Ｓ6、Ｓ6aまたは妨害波測定器５（の測定器ＣＰＵ５０）からの測定信号Ｓ7、Ｓ7aを電力線Ｌ1を介して玄関子機１（の子機Ｉ／Ｆ１８）および居室親機２（の親機Ｉ／Ｆ２８）にてそれぞれ受信させたが、これに限定されず、玄関子機１（の子機Ｉ／Ｆ１８）および居室親機２（の親機Ｉ／Ｆ２８）のうち何れか一方でのみ受信させることにより、前述の測定信号Ｓ6、Ｓ6aまたは測定信号Ｓ7、Ｓ7aを検出した玄関子機１の子機ＣＰＵ１０および居室親機２の親機ＣＰＵ２０のうち少なくとも一方の当該ＣＰＵが当該Ｉ／Ｆを制御することにより、電力線Ｌ1を電力線搬送で通信される各信号（画像変調信号、上り、下りの各音声信号）の通信速度が低下され、電力線搬送で通信する周波数における電力線Ｌ1から空中へ放射される電界強度の測定値（電界強度の測定値）、電力線搬送で通信する周波数における電力線Ｌ1へ流れる高周波信号成分の測定値（高周波信号成分測定値）を、それぞれ所定の閾値を超えないように制御することができ、ラジオ等の受信機（図示せず）への影響が抑えられる。
【００７９】
また、本発明の第１、第２の各実施例によれば、電力線Ｌ1を電力線搬送で通信される上り、下りの各音声信号の通信速度を低下させるにあたり、電界強度計４（の強度計ＣＰＵ４０）からの測定信号Ｓ6、Ｓ6aまたは妨害波測定器５（の測定器ＣＰＵ５０）からの測定信号Ｓ7、Ｓ7aを検出した玄関子機１の子機ＣＰＵ１０および居室親機２の親機ＣＰＵ２０により子機通話回路１７、親機通話回路２６をそれぞれ制御し、上り、下りの各音声信号のサンプリングレートを設定したが、この制御に限定されず、子機ＣＰＵ１０による子機通話回路１７への制御および親機ＣＰＵ２０による親機通話回路２６への制御のうち何れか一方の当該制御のみが行われた場合であっても、電力線搬送で通信する周波数における電力線Ｌ1から空中へ放射される電界強度の測定値（電界強度の測定値）、電力線搬送で通信する周波数における電力線Ｌ1へ流れる高周波信号成分の測定値（高周波信号成分測定値）を、それぞれ所定の閾値を超えないように制御することができ、ラジオ等の受信機（図示せず）への影響が抑えられる。
【００８０】
さらに、本発明の第１、第２の各実施例によれば、玄関に設置される玄関子機１としてカメラ１３（および子機映像処理回路１４）を有する当該玄関子機、住戸内に設置される居室親機２としてモニタ２３（および親機映像処理回路２２）を有する居室親機２を適用したが、これに限定されず、カメラ１３（および子機映像処理回路１４）が不備である当該玄関子機、モニタ２３（および親機映像処理回路２２）が不備である当該居室親機の適用も可能であり、このような玄関子機１および居室親機２を適用するにあたっても、電力線搬送で通信する周波数における電力線Ｌ1から空中へ放射される電界強度の測定値（電界強度の測定値）、電力線搬送で通信する周波数における電力線Ｌ1へ流れる高周波信号成分の測定値（高周波信号成分測定値）を、それぞれ所定の閾値を超えないように制御することができ、ラジオ等の受信機（図示せず）への影響が抑えられる。
【図面の簡単な説明】
【００８１】
【図１】本発明の第１の実施例によるインターホンシステムの具体的な構成を示すブロック図。
【図２】本発明の第２の実施例によるインターホンシステムの具体的な構成を示すブロック図。
【符号の説明】
【００８２】
１……玄関子機
１３……カメラ
２……居室親機
４……電界強度計
４１ａ……空中線
５……妨害波測定器
Ｌ1……電力線
【図１】
2006279263.tif 000003
【図２】
2006279263.tif 000004